(57)【要約】      （修正有）【課題】低コストで安全かつ高栄養価の野菜を生産するシステムを供給する。【解決手段】水または養液を収容する水槽を設置することなく、無孔性親水性フィルム１に水または養液を該フイルムの下面側から供給する手段を用いて、該フィルム上で植物を栽培する植物栽培システム。水または養液を該フイルムの下面側から供給する手段として、無孔性親水性フィルム１と水不透過性材料２の間に無孔性親水性フィルムに接する吸水性材料８を配置する。大地土壌上に直接水不透過性材料２、吸水性材料８および潅水チューブ３、無孔性親水性フィルム１を順に配置することにより、低コストで安全かつ高栄養価の野菜を生産するシステムとすることができる。【選択図】図２
2008295350.tif 000002
【特許請求の範囲】
【請求項１】
水または養液を収容する水槽を設置することなく、無孔性親水性フィルムに水または養液を該フイルムの下面側から供給する手段を用いて、該フィルム上で植物を栽培することを特徴とする植物栽培システム。
【請求項２】
前記無孔性親水性フィルムに水または養液を供給する手段が無孔性親水性フィルムに接する吸水性材料を含むことを特徴とする請求項１に記載の植物栽培システム。
【請求項３】
前記無孔性親水性フィルムに水または養液を供給する手段が水不透過性材料を含むことを特徴とする請求項１に記載の植物栽培システム。
【請求項４】
前記無孔性親水性フィルムと水不透過性材料の間に吸水性材料を配置する請求項３に記載の植物栽培システム。
【請求項５】
前記水不透過性材料が大地土壌上に接地して配置されることを特徴とする請求項３に記載の植物栽培システム。
【請求項６】
前記無孔性親水性フィルムが、該フィルムを介して水と塩水とを対向して接触させた際に、測定開始後４日目（９６時間）の水／塩水の電気伝導度（ＥＣ）の差が４．５ｄＳ/ｍ以下のフィルムである請求項１〜５に記載の植物栽培システム。
【請求項７】
前記無孔性親水性フィルムが、該フィルムを介して水とグルコース溶液とを対向して接触させた際に、測定開始後３日目（７２時間）の水／グルコース溶液の濃度（Ｂｒｉｘ％）の差が４以下のフィルムである請求項１〜６のいずれかに記載の植物栽培システム。
【請求項８】
前記無孔性親水性フィルムが、該フィルム上に植物体を配置して栽培を開始した３５日後に、前記植物体の根に対して１０ｇ以上の剥離強度を示すフィルムである請求項１〜７のいずれかに記載の植物栽培システム。
【請求項９】
前記無孔性親水性フィルムが、耐水圧として１０ｃｍ以上の水不透性を有する請求項１〜８のいずれかに記載の植物栽培システム。
【請求項１０】
栽培すべき植物の生長段階に応じて、前記水不透過性材料と前記無孔性親水性フィルムの間に必要最小限の水または養液を供給する請求項１〜９のいずれかに記載の植物栽培システム。
【請求項１１】
前記植物体と前記無孔性親水性フィルムとの間に、植物栽培用支持体を配置する請求項１〜１０に記載の植物栽培システム。
【請求項１２】
前記植物体と前記無孔性親水性フィルムとの間に、マルチング材料を配置する請求項１〜１１に記載の植物栽培システム。
【請求項１３】
栽培すべき植物の生長段階に応じて、前記無孔性親水性フィルムの上からも水または養液を供給する請求項１〜１２のいずれかに記載の植物栽培システム。
【発明の詳細な説明】
【技術分野】
【０００１】
本発明は植物栽培システムに関する。より詳しくは、本発明は、植物の根と実質的に一体化できるフィルムを用いた植物栽培システムに関する。さらに詳しくは、本発明は、植物を栽培するための水や養液を、水槽を使用せずに供給する植物栽培システムに関する。  
【０００２】
本発明によれば植物体を栽培するときに、水または養液を収容する水槽を必要としないので水槽材料費が不要となる。  
【０００３】
さらに水槽を設置する場合には、水面が水槽と平行になるように設置する必要があるため設置工事に多大な費用がかかるが、本発明によればその必要がないので、設備費用が安価となる。
【０００４】
また、土耕栽培または養液土耕栽培において使用される大地土壌と植物を隔離するため大地土壌の上に水不透過性材料、または水不透過性材料の上に配置した吸水性材料の上に無孔性親水性フィルムを配置し、その上で植物を栽培することによって、従来の土耕栽培または養液土耕栽培の問題点である、連作障害などの原因となる土壌中の線虫などの微生物、細菌類、ウイルス類などによる植物汚染、土壌中の残留農薬などによる植物汚染、土壌表層への塩類の蓄積による植物の生育阻害、肥料の流亡による地下水汚染などが防げる。  
【０００５】
本発明は、植物の根と大地土壌が直接接することにより生ずる上記の問題を解消することができる。更に、本発明の栽培システムでは、水、肥料の使用量が極めて少ないため栽培コストを大幅に引き下げることができる。  
【０００６】
また本発明の栽培システムにより、栽培すべき植物を水分抑制状態として、該植物を品質化することが容易になる。
【０００７】
更に、本発明の栽培システムによって、近年、問題視されている硝酸態窒素の含有量を減ずることも可能になる。
【背景技術】
【０００８】
従来、種々の植物が、太陽、土、雨水などの自然の恵みを利用して、露地（ろじ）あるいは施設内で栽培されて来た。露地栽培あるいは施設内栽培においても、土壌は表層から下は連続的に地中深く繋がっている。このため連作障害の主因である、線虫などの有害な微生物、細菌類が土壌中に繁殖した場合は、土壌の消毒や大量の汚染されていない土壌を他所から運んで交換する、いわゆる客土が必要となる。しかし、土壌消毒の代表的方法である燻蒸法に使用する臭化メチルの全面使用禁止で土壌消毒が困難となってきた。また、大量の客土の使用はコスト的にも物理的にも殆ど不可能である。  
【０００９】
更に、過去に大量に使用されてきた有機リン系農薬によって土壌は汚染されていて、これによる農産物汚染の問題が深刻化している。有機リン系農薬は分解、無毒化しにくいため、この問題を解決するには、やはり大量の客土が必要になる。  
【００１０】
一方、従来の施肥の方法で、大量の元肥を大地に施し、栽培期間中には追肥として１〜２週間分の肥料をまとめて施している。こうした従来の施肥管理は、「植物が小さいときは肥料吸収量が少なく、生育するに従って多くなる」という実体とかけはなれていて、施肥に無駄が多く、結果として土壌の塩類蓄積の原因となっている。
【００１１】
特に、施設内の土壌では、水分は下方から上方に移行し、潅水により重力で水が一時的に肥料成分を下方に運ぶものの、潅水を中止すると土壌水分は再び土壌の表面に向かって移動し、塩類も一緒に運ばれる。土壌表面では水のみが蒸発により失われるので、この繰り返しにより塩類が土壌表層で集積する。余剰な塩類が多ければ集積の程度は高まり、植物生育の阻害原因となる。降雨量の極端に少ない砂漠土壌の状態と酷似している。この状態を改善するためには大量の水を使用し、表層の集積塩類を洗い流す方法あるいは、大量の客土を使用する方法しかなく、いずれも莫大なコストがかかる。  
【００１２】
上記した無駄な施肥は、地下水汚染の原因にもなっている。通常の施肥量では、特に窒素肥料は土壌微生物により分解され、有機態→ＮＨ4+→ＮＯ2-→ＮＯ3-の順に酸化される。しかし、施肥量が多すぎる場合あるいは土壌硝化細菌の活性が弱い状況では、酸化が進まないため、ＮＨ4+やＮＯ2-が土壌に過剰に蓄積し、負に帯電している土壌コロイド表面にＮＨ4+は吸着されるものの、ＮＯ3-は土壌に吸着されず、流亡し、地下水を汚染することになる。  
【００１３】
また、潅水に関しても、数日毎に大量の潅水をするため、潅水直後には土壌が過湿気味となり、次に潅水する直前には乾燥気味となるなど、植物に対しての水分ストレスを制御することが難しく、高糖度などの高品質化を達成することが困難である。  
【００１４】
これに対し、養液土耕と言われる栽培方法があり、土壌栽培の利点を活かしながら、植物の生育に合わせて、植物が必要とする肥料成分を、必要なときに必要量だけ施肥する方法である。土壌に点滴チューブを設置し、土壌中の肥料および水分量測定をリアルタイムで実施しながら、給液設備から植物に合った窒素、燐酸、カリの他、カルシウムなどの微量要素成分を含む養液を過不足なく植物に供給する潅水施肥技術である。養液土耕栽培の構成要件は、以下の通りである。  
【００１５】
１）基肥は施さない（ただし、土壌の物理化学性や微生物を維持・改善するための有機物質材や土壌改良材は施す）２）毎日、潅水および施肥を行う３）養水分測定に基づく適切な潅水施肥を行う４）植物の養分吸収比率に合った成分組成で、不必要な副成分を含まない肥料を用いる５）正確に液肥成分を混合し、かつ容易に混合倍率を変更できる液肥混入機を用いる６）潅水施肥量を把握するための流量計を備えている７）圃場全面に均一潅水が可能な潅水チューブ（点滴チューブなど）を用いる  
【００１６】
以上に述べたように、養液土耕栽培の場合には土耕栽培に比べて、施肥量と潅水量が減るために、土壌表層への塩類の集積による生育障害は改善される。又、過剰施肥による地下水汚染が軽減されるという利点がある。しかしながら、植物の根が直接大地に接触していることによって発生する連作障害あるいは残留農薬による農産物汚染などの解決策とはならない。  
【非特許文献１】「養液土耕栽培の理論と実際」２〜１８頁  編者：青木宏史、梅津憲治、小野信一  発行所：誠文堂新光社、２００１年６月発行
【００１７】
一方、上記した従来の土耕栽培、養液土耕栽培の問題を解決するため、養液栽培、あるいは水耕栽培といわれる栽培システムが開発されてきた。養液栽培では養液を入れる水槽(ベッド)によって大地と植物が隔離されているために土耕栽培あるいは養液土耕栽培に付随するような養液による土壌汚染、あるいは土壌汚染による植物の感染などが実質的に防止される。
【００１８】
しかし、養液栽培では高額な養液槽（ベッド）、ベッド支持体、さらに槽内の水面が水槽と平行になるように設置する必要があるための設置工事などに多大な費用がかかる。
【００１９】
又、根が養液中に直接、浸かっているので、養液が細菌、ウイルスなどで汚染されると、植物が容易に感染するために、養液の循環、殺菌、ろ過などの高額設備が必須である。更に、養液栽培では根が常に養液中に浸かっているために水分ストレスがかからず、栄養価が低く、味がないなど、生産物を高品質化することが困難であるという致命的な欠点がある。
【００２０】
更に、大量の養液を使って植物を短期間に栽培する養液栽培あるいは大量の施肥、潅水による土耕栽培、養液土耕栽培における農産物生産の問題として、特にサラダ菜、ホウレン草などの葉采類中に高濃度で蓄積される硝酸態窒素の健康障害が挙げられる。
【００２１】
サラダやホウレン草等の可食部の葉柄部に高い濃度で硝酸塩が含まれていることがある。硝酸塩は唾液と反応して亜硝酸塩となり、更に消化の過程で発ガン性を持つニトロソアミンという物質を生成するとされている。このため、野菜に含まれる硝酸含量が品質の重要な基準の１つになりつつあり、その低含量化が求められている。
【発明の開示】
【発明が解決しようとする課題】
【００２２】
本発明の目的は、上記した養液栽培、土耕栽培、養液土耕栽培の欠点を解消した植物栽培システムを提供することにある。
【００２３】
より詳しくは、本発明の目的は、水不透過性材料、無孔性親水性フイルム、吸水性材料、該水不透過性材料と該無孔性親水性フイルム間の吸水性材料に給液する手段、該無孔性親水性フイルム上に給液する手段からなるシステムにより、養
液栽培における養液を収容する水槽を必要とせず、さらに多大な費用がかかる水槽の設置工事の必要がない、安価な栽培システムを提供することにある。
【００２４】
本発明の他の目的は、土壌と植物を隔離するため水不透過性材料を大地などの上に配置し、その上に設置した吸水性材料を介して潅水手段により供給された水または養液を無孔性親水性フィルムに供給するというシステムを用いて、従来の土耕栽培、養液土耕栽培の問題点である土壌中の病原菌や線虫による連作障害から根を守る植物栽培システムを提供することにある。
【００２５】
本発明の他の目的は、残留農薬などで汚染されている大地の土壌と植物の根を前記水不透過性材料および前記無孔性親水性フィルムで隔離して栽培することによって、植物の汚染を防止するシステムを提供することにある。  
【００２６】
本発明の他の目的は、前記水不透過性材料により大地の土壌への肥料および水の漏洩を無くし、土壌中への塩類の集積と肥料の系外への流亡を無くす植物栽培システムを提供することにある。
【００２７】
本発明の他の目的は、前記無孔性親水性フィルム上の少量の客土に少量の肥料と水分を効率的に供給することによる、経済的であると同時に水ストレス負荷による高品質植物の栽培システムを提供することにある。  
【００２８】
本発明の他の目的は、栽培された植物体の硝酸態窒素を低減する栽培システムを提供することにある。
【課題を解決するための手段】
【００２９】
本発明者らは鋭意研究の結果、無孔性親水性フィルム（ 例えば高分子製フィルム） が、植物の根と実質的に一体化するという全く新たな現象を見出した。本発明者らは、このような知見に基づいて更に研究を進めた結果、無孔性親水性フィルムと実質的に一体化した植物の根が、該フィルムを介して、該フィルムに接触した養液中の肥料成分および水を植物の生長に必要な程度、吸収する現象をも見出した。さらに、根が該フイルムと一体化し、該フイルムを介して水および肥料成分を吸収しようとするために、膨大な数の根毛が生起されことによって、根の近傍にある水、肥料成分、空気などを効率良く吸収できることも見出した。  
【００３０】
さらに本発明者らは、該フイルムに水または養液を供給する手段として、水または養液を収容する水槽を設置しないことが、本発明が目的とする課題の解決に有効であることを見出し、本発明を完成した。  
【００３１】
本発明の植物栽培システムは上記知見に基づくものであり、より詳しくは、栽培すべき植物体が、水不透過性材料、または水不透過性材料の上に設置された吸水性材料上に配置された、根と実質的に一体化しうる無孔性親水性フィルムの上に少なくともあることを特徴とするものである。
【００３２】
本発明によれば、水不透過性材料と無孔性親水性フィルムの間に配置された吸水性材料に、潅水手段により水または養液を供給することを特徴とする植物栽培システムが提供される。
【００３３】
本発明によれば、更に、該無孔性親水性フィルム上に植物栽培用支持体および植物体を配置し、前記植物体を栽培する植物栽培システムが提供される。  
【００３４】
本発明によれば、更に、該無孔性親水性フイルムの上に植物体および水蒸気を通過させないマルチングフイルムあるいはマルチング部材を配置し、前記植物体を栽培する植物栽培システムが提供される。  
【００３５】
本発明によれば、更に、植物体の根と該無孔性親水性フィルムとが実質的に一体化した後には、該フィルム上方から水および／又は肥料を適宜供給する植物栽システム培が提供される。
【発明の効果】
【００３６】
上記構成を有する本発明の植物栽培システムにおいては従来の養液栽培における養液を収容する水槽を必要とせず、さらに多大な費用がかかる水槽の設置工事の必要がない、安価な栽培システムを提供できる。
【００３７】
更に、本発明によれば、植物の根と大地土壌とが水不透過性材料によって隔離され、直接には接触していないため、大地の土壌が病原微生物、病原菌で汚染されていても、微生物、細菌は該フィルムを透過できないため、根に触れることがなく、連作障害などの植物汚染を回避できる。  
【００３８】
更に、本発明によれば、たとえ大地土壌が残留農薬などで汚染されていたとしても、大地土壌と根が水不透過性材料で隔離されているために、植物の汚染が軽減される。
【００３９】
更に、本発明によれば、大地土壌の上にある水不透過性材料は、該フイルムと無孔性親水性フィルムの間に設置された吸水性材料に養液などが供給されても、該養液の大地土壌中への移行を阻止し、塩類集積、地下水汚染が防止されると同時に貴重な水資源の有効利用、肥料使用量の低減などといった栽培コストを低下させる。  
【００４０】
又、たとえ大地土壌の表層に塩類の蓄積があっても、水不透過性材料があるために、直接根に触れることがなく、集積塩類は植物生育に大きな影響を与えない。  
【００４１】
更に、本発明の植物栽培システムにより、栽培すべき植物に対する無孔性親水性フィルムに起因する水分ストレスの制御が極めて容易となり、該植物を高品質化することができる。
【００４２】
更に、本発明によれば、無孔性親水性フィルム下に主として、水のみを供給し、該フィルム上から少量の養液を、量および時間を厳密に制御した状態で供給し、栽培後半に水のみを供給する方法、あるいは無孔性親水性フィルム下に養液を供給し、該フィルム上から水のみを供給する方法で、容易に栽培植物中の硝酸態窒素量を大幅に低減できる。  
【００４３】
本発明のシステムに於いては、無孔性親水性フイルム下への水あるいは養液の供給、および該フイルム上への水あるいは養液の供給には、制御のし易さなどの点から、点滴チューブが好適に使用される。  
【発明を実施するための最良の形態】
【００４４】
以下、必要に応じて図面を参照しつつ本発明を更に具体的に説明する。以下の記載において量比を表す「部」および「％」は、特に断らない限り質量基準とする。  
【００４５】
（植物栽培システム）本発明の植物栽培システムは、水または養液を収容する水槽を設置することなく、無孔性親水性フィルムに水または養液を供給する手段を用いて、該フィルム上で植物を栽培する植物栽培システムである。
【００４６】
図１は、本発明の植物栽培システムの基本的な一態様を示す模式断面図である。図１を参照して、この態様の植物栽培システムは、水不透過性材料２上に植物体が配置されるべき無孔性親水性フィルム１が配置される。  
【００４７】
（他の態様１）図２は、本発明の植物栽培システムの他の態様を示す模式断面図である。図２を参照して、この態様においては、水不透過性材料２表層に潅水手段３（例えば、点滴チューブ）を配置し、吸水性材料８（不織布など）を挟んで無孔性親水性フィルム１が配置されている。このような潅水手段３を配置することにより、無孔性親水性フィルム１に効果的に養液を供給できるというメリットを得ることができる。  
【００４８】
（追加的手段）図２の態様においては、必要に応じて、無孔性親水性フィルム１の上に土壌などの植物栽培用支持体４、および／又は、水蒸気を通さないか、または低透過性の蒸発抑制部材５（例えば、後述するマルチング材）を配置することができる。このような蒸発抑制部材５を配置することにより無孔性親水性フィルム１から大気中に蒸散する水蒸気を蒸発抑制部材５表面あるいは植物栽培用支持体４中に凝結させ、水として植物が利用できる。また、無孔性親水性フィルム１の下に不織布のような吸水性材料８を設置することにより無孔性親水性フィルムに均一に養液を供給することができる。  
【００４９】
更に、必要に応じて、無孔性親水性フィルム１の上には間歇的に水または養液を供給するための潅水手段６（例えば、点滴チューブ）を配置することが出来る。このような潅水手段６を配置することにより、植物が無孔性親水性フィルムを介して摂取する水または肥料成分が不足した場合にそれを補うことができるというメッリトを得ることができる。  
【００５０】
更に、必要に応じて、無孔性親水性フィルム１を含む栽培領域の上部に細霧噴霧用手段７（例えば、バルブ）を配置し、間歇的に水、養液または農薬希釈液を噴霧することができる。このような細霧噴霧用手段７を配置することにより、水の間歇的噴霧による特に夏季の冷却、養液の噴霧による環境の冷却と葉面散布による肥料成分の供給、農薬の配合された水または養液の噴霧による農薬の散布などの自動化が可能となるというメリットを得ることができる。図２の構成においては、上記した以外の構成は図１におけると同様である。  
【００５１】
（他の態様２）図３は、本発明の植物栽培システムの他の態様を示す模式断面図である。図３を参照して、この態様においては、畝のように周囲より高くした水不透過性材料２を例えば大地土壌上に配置し、その上に無孔性親水性フィルム１を設置し、該フィルム１の端を畝の側面に沿うように下げる。該フィルム１の上に配置する植物栽培用支持体４（例えば土壌など）が周囲に落ちないよう保護するためプラスチックや木などで作製した植物栽培用支持体保持枠９を配置し、該枠９と該フィルム１の間に水が通る隙間を設ける。これにより、ビニールハウスなどの雨を防ぐ手段を持たない屋外においても、雨が降ったときに過剰な水を無孔性親水性フィルム１上から逃がすことができ、温室などの施設内と同様に植物を栽培することが可能になる。図３の構成においては、上記した以外の構成は図２と同様である。  
【００５２】
（マルチング材料）本発明においては、いわゆる「マルチング」も、好適に使用することができる。ここに、「マルチング」とは、植物の生長を助けるため、遮熱・防寒・乾燥防止などを根元や幹などに施すために使用されるフィルムなどの材料を言う。このようなマルチングを用いた場合には、水分の有効利用性が高まるというメリットを得ることができる。  
【００５３】
すなわち、本発明によるシステムでは、水不透過性材料２またはその上の吸水性材料８から無孔性親水性フィルム１中に移動した水や養分が、フィルム１と一体化した植物の根によって直接吸収される以外に、フィルム１の表面から水蒸気として蒸発する傾向がある。このように蒸発する水蒸気を大気中に出来る限り逃がさないようにするために、土壌表面をマルチング材料５で覆うことができる。マルチング材料５で覆うことにより、該マルチング材料５の表面あるいは植物栽培用支持体表面に水蒸気を凝結させ、水として植物が利用することができる。  
【００５４】
（潅水手段）潅水手段３、６（例えば、点滴チューブ）は培土あるいは土壌等の植物栽培用支持体に、水あるいは養液を間歇的に少量ずつ供給するために用いることができ、土のもつ緩衝機能を活かしながら栽培するためのものである。例えば、水が貴重なイスラエルで開発された点滴チューブ（例えば、「ドリップチューブ」とも称される）であるが、点滴潅水で作物の生育に必要な水および肥料をできるだけ少量供給する手段として用いることができる。  
【００５５】
（細霧噴霧手段）施設栽培で夏季における高温対策として行われる遮光や換気だけでは間に合わず、かといって冷房をするにはエネルギーコストが上がってしまう可能性がある。そこで、細霧噴霧用手段７を配置して、細霧噴霧と称される、非常に粒子の細かい霧状の水を植物に噴霧し、空気中の気化熱を奪い冷却するために行うことができる。冷房の目的以外に、水に肥料および／または農薬を加え噴霧することにより、葉面からの肥料の吸収および／または農薬散布の省力化を兼ねて行うこともできる。  
【００５６】
（栽培システム）本発明においては、上記した構成を有する限り、これと組み合わせて使用すべき栽培システムは特に制限されない。本発明の栽培システムの特徴である、高額な栽培用水槽、架台およびレベル出し工事が不要、連作障害、農薬汚染、地下水汚染、塩類の土壌表層への集積などの軽減、および栽培植物の高品質化、低硝酸態窒素化などを達成するための好適な栽培システムの態様を以下に述べる。  
【００５７】
（好適な栽培システム−１）図２の模式断面図を参照して、この態様においては、水不透過性材料２上に、またはその上の吸水性材料８に潅水手段３（例えば、
点滴チューブ）により供給された水または養液は、その上に配置された無孔性親水性フィルム１中に移行する。植物体の根はフィルム１に移行した水および養分を吸収し生育する。  
【００５８】
必要に応じて、フィルム１の上に間歇的に水または養液を供給するための潅水手段６（例えば、点滴チューブ）を配置することができる。このような潅水手段６を配置することにより、制御された量の水あるいは養液を植物栽培用支持体４（例えば土壌など）に供給でき、植物がフィルム１を介して摂取する水または肥料成分が不足した場合にそれを補うことができるというメッリトを得る。  
【００５９】
また、水蒸気を通さないか、または低透過性の蒸発抑制部材５（例えば、マルチング材）を配置することができる。このような蒸発抑制部材５を配置することによりフィルム１から大気中に蒸散する水蒸気を蒸発抑制材５表面あるいは植物栽培用支持体４（例えば土壌など）中に凝結させ、水として植物が利用できる。  
【００６０】
更に、必要に応じて、フィルム１の上部に細霧噴霧用手段７（例えば、バルブ）を配置し、間歇的に水、養液または農薬希釈液を噴霧することができる。このような細霧噴霧用手段７を配置することにより、水の間歇的噴霧による特に夏季の冷却と、養液の噴霧による環境の冷却と葉面散布による肥料成分の供給、農薬の配合された水または養液の噴霧による農薬の散布などの自動化が可能となるというメリットを得ることができる。  
【００６１】
（好適な栽培システム−２）  本発明において、植物体の特定の成分（たとえば、硝酸態窒素）を低減することを意図する際には、基本的には、（養分蓄積を避けるため）無孔性親水性フィルム１の上からは水のみを供給することが好ましい。ただし、該フィルムと根の「一体化」を促進させるために該フィルム１の下からは養液を供給することが好ましい。  
【００６２】
無孔性親水性フィルム１と根の「一体化」が完成する前に、該フィルム上から水分を加え過ぎると、植物はフイルム上の取り易い水分を吸収して、該フィルム下からの水分を取る必要が減じ、その結果、根が該フィルムと一体化し難くなる傾向がある。したがって、根が該フィルムと一体化するまでは、該フィルム上からは、過剰の水分を加えることは好ましくない。  
【００６３】
他方、根が無孔性親水性フィルムと一体化した後であれば、適宜、該フィルム上から水分／養分を与えても良い。  
【００６４】
（本発明の利点）上記構成を有する本発明の栽培システムを用いることにより、養液栽培における高額な水槽、架台などがなくても、又面倒なレベル出しの工事などをしなくても、土壌中の病原菌や線虫などによる連作障害、土壌中の残留農薬による植物汚染などが回避される。
【００６５】
更に、土壌表層に塩の集積があっても直接根と接触することがないため植物生育に与える影響は無い。又、本発明のシステムにおいては、大地土壌が水不透過性材料２で覆われていて、該フイルム上に供給された水、養液が土壌中へ漏洩しないため、土壌、地下水などの肥料汚染が防止される。更に、無孔性親水性フィルムによって植物に対しての水分供給が容易に制御できるため、糖度等の栄養成分が高くなるという点で植物の質の向上も可能となる。  
【００６６】
従来の土耕、養液土耕栽培では、大地土壌に供給された肥料成分は土壌中に広く分散しており、栽培の終盤に水だけに切り替えても、土壌中の肥料濃度を低減することは困難であり、植物体に残存する硝酸態窒素を低減することは難しい。又、養液栽培においても水槽中の養液を栽培途中で水に変えることは実際的には困難である。
【００６７】
本発明による栽培システムでは、植物体がの存在する無孔性親水性フィルム１上の客土は非常に少なく、該フイルム上に供給される養液または水も少量ですみ、栽培段階で養液から水のみに切り替えることができ、植物体に残存する硝酸態窒素を極めて簡便に低減できる。  
【００６８】
（各部の構成）以下、本発明の栽培方法における各部の構成について詳細に説明する。このような構成（ないしは機能）に関しては、必要に応じて、本発明者による文献（ＷＯ  ２００４／０６４４９９号）の「発明の詳細な説明」、「実施例」等を参照することができる。  
【００６９】
（フィルム１）本発明において、構成されるフィルム１は、「植物体の根と実質的に一体化し得る」であることが特徴である。本発明において「植物体の根と実質的に一体化」できるか否かは、例えば、後述する「一体化試験」によって判断できる。本発明者らの知見によれば、「植物体の根と実質的に一体化し得る」フィルムとしては、以下のような水分透過性／イオン透過性のバランスを有するフィルムが好ましいことが見出されている。本発明者らの知見によれば、このような水分／イオン透過性のバランスを有するフィルムにおいては、栽培すべき植物の生長（特に、根の生長）に好適な水分／養分透過性のバランスが容易に実現できるため、根と実質的に一体化が可能となると推定される。  
【００７０】
本発明において、植物はフィルム１を通して肥料をイオンとして吸収するが、このように使用するフィルムの塩類（イオン）透過性が、植物に与えられる肥料成分の量に影響すると推定される。該フィルムを介して水と塩水を対向して接触させた際に下記に示す測定開始４日後の水／塩水の電気伝導度（ＥＣ）の差が４．５ｄＳ/ｍ以下のイオン透過性を有するフィルムを好適に用いることができる。このようなフィルムを用いた際には、根に対する好適な水あるいは肥料溶液を供給し、該フィルムと根との一体化を促進することが容易となる。  
【００７１】
このフィルム１は、耐水圧として１０ｃｍ以上の水不透性を有することが好ましい。このようなフィルム１を用いた際には、根とフイルムの一体化を促進することができる。又、根に対する好適な酸素供給および該フィルム１を介しての病原菌汚染を防止することが容易となる。  
【００７２】
（耐水圧）耐水圧はＪＩＳ Ｌ１０９２（Ｂ法）に準じた方法によって測定することができる。本発明のフィルム１の耐水圧としては１０ｃｍ以上、好ましくは２０ｃｍ以上、より好ましくは３０ｃｍ以上である。上記の性質を有するフイルム１は無孔性で親水的性質を兼ね備えている必要がある。  
【００７３】
（水分／イオン透過性）本発明においては、上記フィルム１は、該フィルムを介して水と塩水（０．５質量％）とを対向して接触させた際に、測定開始４日後の水／塩水の栽培温度において測定した電気伝導度（ＥＣ）の差が４．５ｄＳ/ｍ以下であることが好ましい。この電気伝導度の差は、更には３．５ｄＳ/ｍ以下であることが好ましい。特に、２．０ｄＳ/ｍ以下であることが好ましい。この電気伝導度の差は、以下のようにして測定することが好ましい。  
【００７４】
＜実験器具等＞なお、本明細書の以降の部分（実施例も含む）において用いた実験器具、装置および材料は、（特に指定がない限り）後述する「実施例」の前の部分に示した通りである。  
【００７５】
＜電気伝導度の測定方法＞肥料は、通常イオンの形で吸収されるため、液中に溶けている塩類（あるいはイオン）量を把握することが望ましい。このイオン濃度を測定する手段として電気伝導度（ＥＣ、イーシー）を用いる。ＥＣは比導電率ともいい、断面積１ｃｍ2の電極２枚を１ｃｍの距離に離したときの電気伝導度の値を使用する。単位はシーメンス（Ｓ）が使われ、Ｓ/ｃｍとなるが肥料養液のＥＣは小さいので、１／１０００のｍＳ/ｃｍを使う（国際単位系ではｄＳ/ｍ（ｄはデシ）と表示する）。実際の測定においては、上記した電気伝導度の測定部位（センサー部）にスポイトを用いて試料（例えば溶液）を少量乗せ、導電率を測定する。  
【００７６】
＜フィルム１の塩／水の透過試験＞市販の食塩（例えば、後述する「伯方の塩」）１０ｇを水２０００ｍｌに溶解して、０．５％塩水を作製する（ＥＣ：約９ｄＳ/ｍ）。「ざるボウルセット」を使い、ざる上に試験すべきフィルム１（サイズ：２００〜２６０×２００〜２６０ｍｍ）を乗せ、該フィルム上に水１５０ｇを加える。他方、ボウル側に上記の塩水１５０ｇを加え、得られた系全体を食品用ラップ（ポリ塩化ビニリデンフィルム、商品名：サランラップ、旭化成社製）で包んで、水分の蒸発を防ぐ。この状態で、常温で放置して、２４ｈｒｓ毎に水側、塩水側のＥＣを測定する。  
【００７７】
本発明においては、フィルム１を介する植物の根の養分（有機物）吸収を容易とする点からは、上記フィルムは、所定のグルコース透過性を示すことが好ましい。このグルコース透過性は、下記の水／グルコース溶液の透過試験により好適に評価できる。本発明においては、上記フィルムは、該フィルムを介して水とグルコース溶液とを対向して接触させた際に、測定開始後３日目（７２時間）の水／グルコース溶液の栽培温度において測定した濃度（Ｂｒｉｘ％）の差が４以下であることが好ましい。この濃度（Ｂｒｉｘ％）の差は、更には、３以下、より好ましくは２以下（特に１．５以下）であることが好ましい。  
【００７８】
＜フィルム１の水／グルコース溶液透過試験＞市販のグルコース（ブドウ糖）を用いて５％グルコース溶液を作製する。上記塩水試験と同様の「ざるボウルセット」を使い、ざる上に試験すべきフィルム１（サイズ：２００〜２６０×２００〜２６０ｍｍ）を乗せ、該フィルム上に水１５０ｇを加える。他方、ボウル側に上記のグルコース溶液１５０ｇを加え、得られた系全体を食品用ラップ（ポリ塩化ビニリデンフィルム、商品名：サランラップ、旭化成社製）で包んで、水分の蒸発を防ぐ。この状態で、常温で放置して、２４ｈｒｓ毎に水側、グルコース溶液側の糖度（Ｂｒｉｘ％）を糖度計で測定する。  
【００７９】
（根とフイルム１の一体化）後述する実施例２の条件（バーミキュライト使用）で、試験を行う。すなわち、サニーレタス（本葉１枚強）を２本用いて、３５日間、植物の生育試験を行う。得られた植物−フィルム１の系において、植物苗の根元で茎葉を切断する。根の密着したフィルム１の茎がほぼ中心になるように、該フィルムを巾５ｃｍ（長さ：約２０ｃｍ）に切断して試験片とする。  
【００８０】
ばね式手秤に市販のクリップを付け、上記で得た試験片の一方をクリップで固定して、ばね式手秤の示す重量（試験片の自重に対応＝Ａグラム）を記録する。次いで試験片の中心にある茎を手で持ち、下方に緩やかに引き下げて、根とフィルム１が離れる（または切断される）際の重量（荷重＝Ｂグラム）をばね式手秤の目盛りから読み取る。この値から初期の重量を差し引き、得られた（Ｂ−Ａ）グラムを巾５ｃｍの引き剥がし荷重とする。  
【００８１】
本発明においては、このようにして測定された剥離強度において、前記植物体の根に対して１０ｇ以上の剥離強度を示すフィルム１が好適に使用可能である。この剥離強度は、更には３０ｇ以上、特に１００ｇ以上であることが好ましい。  
【００８２】
（フィルム１材料）上述した「根と実質的に一体化し得る」性質を満足する限り、本発明において、使用可能なフィルム１材料は、特に制限されず、公知の材料から適宜選択して使用することが可能である。このような材料は、通常フィルムないし膜の形態で用いることができる。より具体的には、このようなフィルム１材料としては、例えば、ポリビニルアルコール（ＰＶＡ）、セロファン、酢酸セルロース、硝酸セルロース、エチルセルロース、ポリエステル等の親水性材料が使用可能である。  
【００８３】
上記フィルム１の厚さも特に制限されないが、通常は、３００μｍ以下程度、更には２００〜５μｍ程度、特に１００〜２０μｍ程度であることが好ましい。  
【００８４】
（植物栽培用支持体）上述したように、通常使用される土壌ないし培地は、本発明において、いずれも使用可能である。このような土壌ないし培地としては、例えば、土耕栽培に用いられる土壌、および水耕栽培に用いられる培地が挙げられる。  
【００８５】
例えば、無機系では天然の砂、れき、パミスサンドなど、加工品（高温焼成等）では、ロックウール、バーミキュライト、パーライト、セラミック、籾殻くん炭など。有機系では天然のピートモス、ココヤシ繊維、樹皮培地、籾殻、ニータン、ソータンなど、
合成品の粒状フェノール樹脂などがある。また、これらの混合物でもよい。また、合成繊維の布あるいは不織布も使用可能である。必要最小限の肥料および微量要素を、これらの土壌ないし培地に加えてもよい。本発明者らの知見によれば、植物の根が、フィルム１を介して接触する大地土壌から水または養分を吸収可能な程度に伸びるまで、言い換えると根とフイルム１が一体化するまでの養分は、ここに言う「必要最小限の肥料および微量要素」として、フィルム１上の植物栽培用支持体に加えておくことが望ましい。  
【００８６】
（養液）本発明において使用可能な養液（ないし肥料溶液）は特に制限されない。例えば、従来の土耕栽培ないし養液土耕栽培において使用されてきた養液は、本発明においていずれも使用可能である。  
【００８７】
一般には、水または養液として植物の生育にとって必要不可欠な無機成分としては、主要な成分として：窒素（Ｎ）、リン（Ｐ）、カリウム（Ｋ）、カルシウム（Ｃａ）、マグネシウム（Ｍｇ）、硫黄（Ｓ）、微量成分として：鉄（Ｆｅ）、マンガン（Ｍｎ）、ホウ素（Ｂ）、銅（Ｃｕ）、亜鉛（Ｚｎ）、モリブデン（Ｍｏ）が挙げられる。さらにこの他に、副成分として、珪素（Ｓｉ）、塩素（Ｃｌ）、アルミニウム（Ａｌ）、ナトリウム（Ｎａ）等がある。必要に応じて、本発明の効果を実質的に阻害しない限り、その他の生理活性物質も加えることができる。更に、グルコース（ブドウ糖）などの糖質、アミノ酸等を添加することも可能である。  
【００８８】
（水不透過性材料）  水を通さないフイルムであればいずれでも良く、素材として合成樹脂、木材、金属あるいはセラミックなどで、形状はフィルム状、シート状、板状、または箱状などである。  
【００８９】
（吸水性材料）フィルム１へ水または養液を供給する役割があり、基本的には水を吸収して保持する材料であればいずれでも良い。合成樹脂から作られたスポンジや不織布、織物からなる布、植物性の繊維状、チップ状、粉末状、または、ピートモスや水苔をはじめ一般的に植物支持体として使用される材料も可能である。  
【００９０】
以下、実施例により本発明を更に具体的に説明する。
【実施例】
【００９１】
実施例１１）試験方法簡易型のハウスの中で、ハウス内土壌の上に厚み５０μｍのポリエチレンフィルム（大倉工業（株））幅１ｍ、長さ１ｍを敷き、その上に幅６０ｃｍ、長さ１ｍの揚水シート（ＳＲ−１３０、メビオール（株））を設置した、揚水シートの両サイドに２０ｃｍ間隔で自動潅水器のノズル１０本を揚水シート表面上に置き、その上に無孔性親水性フィルム（厚さ６５μｍのＨｙｍｅｃフィルム（メビオール（株）））を設置した。フイルムの上に、培土としてスーパーミックスＡ（（株）サカタの種）を２ｃｍの深さで載せ、自動潅水器のノズル１０本を該客土上に設置した。マルチングフイルムとしてシルバーマルチ３０μｍ（東罐興産（株）製）に、苗植え付け用として１５ｃｍ間隔で６箇所のＸ印の穴を開け、培土で被覆した。
【００９２】
比較対照として、内寸幅４５ｃｍ、長さ１ｍ、深さ１２〜１８ｃｍの水槽に、養液を３０Ｌ加え、無孔性親水性フィルム（厚さ６５μｍのＨｙｍｅｃフィルム（メビオール（株）））を設置した。フイルムの上に、培土としてスーパーミックスＡ（（株）サカタの種）を２ｃｍの深さで載せ、自動潅水器のノズル１０本を該客土上に設置した。マルチングフイルムとしてシルバーマルチ３０μｍ（東罐興産（株）製）に、苗植え付け用として１５ｃｍ間隔で６箇所のＸ印の穴を開け、培土で被覆した。  
【００９３】
サニーレタスレッドウエーブ（（株）サカタのタネ）の種子をセルトレー内で本葉１〜２枚の幼苗にまで生育し、マルチングフイルム上の６箇所の穴に植え付け、初期潅水を行い、栽培を開始した。  
【００９４】
自動潅水器：自動水やりタイマーＥＹ４２００−Ｈ（松下電工（株））  栽培方法：苗植え付け後に、フイルム下の揚水シートに自動潅水器のノズルから２００〜３００ｍＬ／日の割合で養液を供給した。フイルム上部の潅水（養液）は、比較対照ともに、自動潅水器を用いて実施した。上部の潅水（養液）量は苗１本あたり約２０ｍｌとした。栽培期間は苗植え付けから１ヶ月であった。  
【００９５】
養液：ＥＣは１．２で、大塚ハウス１号０．６ｇ／Ｌと大塚ハウス２号０．９ｇ／Ｌの混合養液１Lに、大塚ハスス５号０．０３ｇを混合したものを使用した。  
【００９６】
２）試験結果  苗植え付け後１ヶ月の小松菜の苗６本の総重量は表１に示すように、無孔性親水性フィルムの下に吸水性材料を使用した場合、１４３．６ｇ、比較対照の水槽を使用した場合で１６３．５ｇであった。  
【００９７】
【表１】
2008295350.tif 000003
収穫量は水槽タイプに比べ１０％程度低下したが、無孔性親水性フィルムの下の養液使用量は水槽タイプに比べ、約１／４程度となった。
【００９８】
以下で用いた実験方法は、上述したものの他は、以下の通りである。  ＜ｐＨの測定＞ｐＨの測定は後述のｐＨメーターによって行った。標準液（ｐＨ７．０）で校正したｐＨメーターのセンサー部分を測定すべき溶液につけ、本体を軽く揺らし、値が安定するのを待ち、ＬＣＤ（液晶）表示部に表示される値を読み取った。  
【００９９】
＜Ｂｒｉｘ％の測定＞Ｂｒｉｘ％測定は後述の糖度計（屈折計）を用いて行った。測定溶液をスポイトでサンプリングし、糖度計のプリズム部分に滴下し測定後、ＬＣＤの値を読み取った。  
【０１００】
<実験器具等＞１．使用器具および装置 １）ざるボウルセット：ざるの半径６．４ｃｍ（底面の面積約１３０ｃｍ2）２）発泡スチロール製トロ箱：サイズ５５×３２×１５ｃｍ等３）上皿電子天秤：Ｍａｘ．１Ｋｇ、（株）タニタ４）ばね式天秤：Ｍａｘ．５００ｇ、（株）鴨下精衡所５）ポストスケール：ポストマン１００、丸善（株）６）電気伝導度計：ＴｗｉｎＣｏｎｄ Ｂ−１７３、（株）堀場製作所７）ｐＨメーター：ｐＨパル TRANSInstruments、グンゼ産業（株）、                  コンパクトｐＨメーター（TwinpH）B-212  （株）堀場製作所８）糖度計（屈折計）：ＰＲ２０１ 、（株）アタゴ  
【０１０１】
２．使用材料（土壌）１）スーパーミックスＡ：水分約７０％微量肥料入り、（株）サカタのタネ２）ロックファイバー：栽培用粒状綿６６Ｒ（細粒）、日東紡（株）３）バーミキュライト：タイプＧＳ、ニッタイ株式会社（フィルム）４）ポリビニルアルコール（ＰＶＡ）：アイセロ化学（株）、厚さ４０μｍ５）二軸延伸ＰＶＡ：ボブロン、日本合成化学工業（株）６）親水性ポリエステル：デュポン社（株）、厚さ１２μｍ７）浸透セロファン：（燻製作製用フィルム）（（株）東急ハンズ）８）セロファン：二村化学工業（株）、厚さ３５μｍ９）微孔性ポリプロピレンフィルム：ＰＨ−３５、（株）トクヤマ１０）不織布：シャレリア（超極細繊維不織布）、旭化成（株）  
【０１０２】
（苗用種）１１）サニーレタス：レッドファイヤー、タキイ種苗（株）（肥料）１２）原液ハイポネックス：（株）ハイポネックスジャパン１３）大塚ハウス１号、２号、５号：  大塚化学（株）（その他）１４）伯方の塩：伯方塩業（株）１５） ブドウ糖：ブドウ糖１００、（株）イーエスＮＡ  
【０１０３】
実施例２（根とフイルム１の一体化現象）肥料濃度の根のフイルムとの一体化現象に与える効果を調べた。養液として、ハイポネックス１００倍希釈液、１０００倍希釈液、および水（水道水）を用いて、その効果を比較した。  
【０１０４】
約２０ｃｍ×２０ｃｍの無孔性親水性フィルム（ＰＶＡ）上に土壌として、バーミキュライト、またはロックファイバーを約３００ｍｌ配置した。この土壌内に、植物の苗として、サニーレタスの幼苗（本葉１枚強）を２本植え付けた。土壌として２種類、養液として３種類の合計６種類の系を作製した。養液量は各３００ｍｌであった。フィルム（ＰＶＡ）上には約２ｃｍの厚さの土壌を載せた。実験はハウス内で行い、自然光を使用した。栽培期間中のの気温は０〜２５℃、湿度は５０〜９０％ＲＨであった。  
【０１０５】
水分蒸発量および養液のＥＣ値を、栽培開始１３日後、および３５日後にそれぞれ測定した。３５日後には、前述したように、根とフイルムの一体化現象の目安である「引き剥がし試験」を行った。  
【０１０６】
上記実験条件を纏めると、以下の通りである。１．実験１）フィルム：ＰＶＡ４０μｍ（アイセロ化学）２００×２００ｍｍ２）苗：サニーレタス幼苗（本葉１枚強）３）土壌：バーミキュライト（細粒）、ロックファイバー６６Ｒ４）溶液：水、ハイポネックス原液１００倍希釈水溶液、１０００倍希釈水溶液５）器具：ざるとボウルのセット６）置き場所：ハウス（温度湿度制御無し）  
【０１０７】
７）実験方法：ざる上のフィルム（２００×２００ｍｍ）上にバーミキュライト１５０ｇ（水分７３％、乾燥重量４０ｇ）あるいはロックファイバー２００ｇ（水分７９％、乾燥重量４０ｇ）を載せ、苗を２本植え付ける。該ざるを、２４０〜３００ｇの養液または水が張られたボール中に設置し、該フイルムを該養液あるいは水と接触させ、幼苗を栽培する。８）栽培期間：１０月２９日〜１２月４日  
【０１０８】
上記実験により得られた結果を、表２に示す。ＥＣ：液肥追加前/追加後  
【０１０９】
【表２】
2008295350.tif 000004
【０１１０】
（実験結果に対する記述）上記した表１からわかるように、フイルム下に水を使用した場合に比較して、養液を使用した方が、植物の生育のみならず、根とフイルムの接着強度が著しく向上する。これは、植物がフィルムを介して、水のみならず肥料成分をも吸収していることを示している。更に、フイルムを介して水および肥料成分を効率良く吸収するためには、根がフイルム表面に強く密着することが必須であり、その結果として根とフイルムが一体化することになるものと考えられる。  
【０１１１】
実施例３（塩水透過試験）前述の＜フィルムの塩／水透過試験＞方法に従って、各種フィルムの塩透過試験を行った。フィルムはＰＶＡ、ボブロン（二軸延伸ＰＶＡ）、親水性ポリエステル、セロファン、ＰＨ−３５、超極細繊維不織布（シャレリア）の６種類である。上記実験により得られた結果を表３に示す。  
【０１１２】
【表３】
2008295350.tif 000005
【０１１３】
（実験結果に対する記述）６種類のフィルムのうち、塩の透過性が大きなものは、超極細繊維不織布（シャレリア）、ＰＶＡ、親水性ポリエステルおよびセロファンであった。塩の透過性が小さいものがボブロンであった。塩の透過性が全く認められなかったものが微孔性ポリプロピレンフイルム（ＰＨ−３５）であった。本発明に好適に用いられるフイルムの塩透過性の観点から、微孔性ポリプロピレンフイルム（ＰＨ−３５）は不適であることがわかった。  
【０１１４】
実施例４（ブドウ糖透過試験）前述の＜グルコース（ブドウ糖）透過試験＞方法に従って、各種フィルムのブドウ糖透過試験を行った。フィルムはＰＶＡ、ボブロン（二軸延伸ＰＶＡ）、セロファン、浸透セロファン、ＰＨ−３５の５種類である。上記実験により得られた結果を表４に示す。  
【０１１５】
【表４】
2008295350.tif 000006
【０１１６】
（実験結果に対する記述）５種類のフィルムのうち、ＰＶＡ、セロファンおよび浸透セロファンはブドウ糖の透過性は良好であったが、ボブロンではブドウ糖透過性はほとんど認められなかった。又、ＰＨ−３５では透過性は全く見られなかった。この結果から、ブドウ糖透過性という観点からは、本発明に好適に使用されるフイルムはＰＶＡとセロファンであることがわかった。  
【０１１７】
実施例５（耐水圧試験）前述したように、ＪＩＳＬ１０９２（Ｂ法）に準じた試験により、２００ｃｍＨ2Ｏの耐水圧試験を行った。（実験結果）
【０１１８】
【表５】
2008295350.tif 000007
【０１１９】
（実験結果に対する記述）良好な耐水性を有するフイルムの、本発明における重要な役割は、該フイルム下の水がフイルムを通過してフイルム上に浸透した結果、植物が該フイルム中の水または養液を吸収する必要がなく、根とフイルムの一体化が損なわれることを防止すると同時に、フイルム下の微生物、細菌類、ウイルス類による植物の汚染を防止することである。本実験結果から、フイルムの耐水圧という観点から、本発明に好適に使用できるフイルムとして、超極細繊維不織布のように孔を有する不織布、織布は不適であることがわかった。  
【０１２０】
前述した実施例２、３、４、５に示すように、塩とブドウ糖の好適な透過性と同時に好適な耐水性を有するフイルムはＰＶＡ，セロファン、親水性ポリエステルなどの素材からなる無孔性親水性フイルムに限定され、該無孔性親水性フイルムによって、はじめて根とフイルムの一体化が生じることがわかった。
【産業上の利用可能性】
【０１２１】
本発明によれば、植物の根と大地土壌とがフイルムによって隔離され、直接には接触していないため、大地の土壌が病原微生物、病原菌で汚染されていても、微生物、細菌は該フィルムを透過できないため、根に触れることがなく、連作障害などの植物汚染を回避できる。また、たとえ大地土壌が残留農薬などで汚染されていたとしても、大地土壌と根がフイルムで隔離されているために、植物の汚染が軽減される。
【図面の簡単な説明】
【０１２２】
【図１】は、本発明の植物栽培方法の基本的な態様の例を示す摸式断面図である。
【図２】は、本発明の植物栽培方法の他の態様の例を示す摸式断面図である。
【図３】は、本発明の植物栽培方法の他の態様の例を示す摸式断面図である。
【符号の説明】
【０１２３】
１    無孔性親水性フィルム２    水不透過性材料３    潅水手段（水不透過性材料側）４    植物栽培用支持体（土壌）５    蒸発抑制部材６    潅水手段（植物栽培用支持体側）７    細霧噴霧バルブ８    吸水性材料９    植物栽培支持体保持枠 
【図１】
2008295350.tif 000008
【図２】
2008295350.tif 000009
【図３】
2008295350.tif 000010